(57)【要約】  装置は、記憶媒体（ＯＤ）のデータを読み取りかつ／または記憶媒体（ＯＤ）にデータを記録するピックアップ（３）を有する走査装置（１）と、走査装置のためのパーキング位置を設ける保持固定具と、走査装置（１）の移動のための磁気駆動アクチュエータ（４〜７、１０）とを備え、保持固定具（４０、５０、６０、７０）は、ピックアップ（３）を冷却するヒートシンクを備える。走査装置（１）は、具体的にはスイングアームタイプのものであり、ピックアップ（３）は、レーザダイオードを備えた光ピックアップである。
2010518545.tif 000002
【特許請求の範囲】
【請求項１】
記憶媒体のデータを読み取りかつ／または前記記憶媒体にデータを記録するピックアップを有する走査装置と、
前記走査装置用のパーキング位置を設ける保持固定具と、
前記走査装置の移動のための駆動アクチュエータと
を備える装置であって、
前記保持固定具は、前記ピックアップを冷却するヒートシンクを備えることを特徴とする装置。
【請求項２】
前記走査装置は第１の接触領域を備え、前記保持固定具は第２の接触領域を備え、前記第１の接触領域は、前記走査装置が前記パーキング位置にあるときに熱伝達を行うために前記第２の接触領域と接触していることを特徴とする請求項１に記載の装置。
【請求項３】
前記保持固定具は、前記走査装置が前記パーキング位置にあるときに、前記走査装置を押して前記第１の接触領域が前記第２の接触領域上に至るようにする接触力をもたらすクランプ手段を備えることを特徴とする請求項２に記載の装置。
【請求項４】
前記走査装置は、前記パーキング位置で前記クランプ手段と接触させるためのリーディングエッジを備えることを特徴とする請求項３に記載の装置。
【請求項５】
前記クランプ手段および／または前記リーディングエッジは、前記走査装置が前記パーキング位置にあるときに、前記リーディングエッジを押して前記第１の接触領域が前記第２の接触領域上に至るようにするベベル状縁部を備えることを特徴とする請求項４に記載の装置。
【請求項６】
前記クランプ手段は、軸上に配置され、前記走査装置を前記パーキング位置に固定するように旋回移動させるクランプアクチュエータを備えることを特徴とする請求項３乃至５のいずれかに記載の装置。
【請求項７】
前記クランプ手段は、前記走査装置を前記パーキング位置に固定するように前記走査装置の方向に移動するスレッジに配置されることを特徴とする請求項３乃至５のいずれかに記載の装置。
【請求項８】
前記保持固定具は、上昇ランプ部分および下降ランプ部分を含むランプを備えることを特徴とする請求項３乃至５のいずれかに記載の装置。
【請求項９】
前記第２の接触領域は、反力をもたらす「Ｚ」様の弾性ばねによって設けられるか、またはコンタクトパッドによって設けられ、前記弾性ばねまたは前記コンタクトパッドは、前記走査装置が配置された支持体上に設けられることを特徴とする請求項２乃至８のいずれかに記載の装置。
【請求項１０】
前記走査装置は、スイングアームタイプのものであり、前記駆動アクチュエータは、磁気駆動アクチュエータであり、前記ピックアップは、前記記憶媒体のように光ディスクのデータを読み取りかつ／または前記光ディスクにデータを記録するレーザダイオードを備えた光ピックアップであることを特徴とする前記請求項のいずれかに記載の装置。
【請求項１１】
前記パーキング位置は、記憶媒体のデータを読取るかまたは記憶媒体にデータを書込むためのレーザダイオードのスイッチがＯＮの時間、および前記ピックアップがパーキング位置で冷却される前記レーザダイオードのスイッチがＯＦＦの時間に、前記レーザダイオードの周期的な動作に利用されることを特徴とする請求項１０に記載の装置。
【請求項１２】
前記レーザダイオードは、超解像近接場構造ディスクのデータの読み取りまたは超解像近接場構造ディスクにデータを書込むための出力領域で動作する青色レーザダイオードであることを特徴とする請求項１０又は１１に記載の装置。
【発明の詳細な説明】
【技術分野】
【０００１】
本発明は、保持固定具と、記憶媒体のデータを読取りかつ／または記憶媒体にデータを記録するピックアップを有する走査装置とを備える装置に関する。走査装置は、具体的には、光ピックアップを有するスイングアームであり、保持固定具は、スイングアームのパーキング位置内に衝撃保護機能をもたらすように配置される。
【背景技術】
【０００２】
光学式記憶媒体は、例えば、光学式記憶媒体を照射するレーザと、データを読み取るときにレーザ光線の反射光を検出する光検出器とを備えるピックアップによって光学式に読み取り可能な形でデータを格納する媒体である。データ容量が最も大きい記憶媒体は、現在ではブルーレイディスク（ＢＤ）であり、２層ディスクで５０ＧＢまで格納することが可能である。ブルーレイディスクの読取りおよび書込みには、レーザ波長が４０５ｎｍの光ピックアップが用いられる。
【０００３】
超解像近接場構造（Ｓｕｐｅｒ−ＲＥＮＳ、ｓｕｐｅｒ−ｒｅｓｏｌｕｔｉｏｎ  ｎｅａｒ−ｆｉｅｌｄ  ｓｔｒｕｃｔｕｒｅ）を有する新規の光学式記憶媒体により、光学式記憶媒体のデータ密度を、ブルーレイディスクと比べて１次元あたり２から４倍増加させることが可能である。これは、いわゆるＳｕｐｅｒ−ＲＥＮＳ構造または層を用いることによって可能になり、そのＳｕｐｅｒ−ＲＥＮＳ構造または層は、光学式記憶媒体の情報層の上方に配置されており、光学式記憶媒体から読み取るかまたはそこに書き込むために使用される光点の有効寸法を大幅に縮小する。特にＳｕｐｅｒ−ＲＥＮＳディスクの場合には、データの読取りまたは書込みのために非常に高いレーザ出力が必要になり、これは、特に小型ピックアップが望まれるときのピックアップ内の重大な熱の問題につながる。
【０００４】
スイングアームが、データキャリアとして設計された記憶媒体に位置決めされ、支持装置上に保持される。このスイングアームはその自由端に、データを記録する／読み取るための読取り／書込みピックアップを備える。スイングアームは、ピックアップと共に、回転運動をするように駆動される記憶媒体の記録面に平行に延びる平面、およびこの平面に垂直に延びる平面において、円弧の形に移動し、いずれの運動も磁気駆動装置、例えば、ボイスコイルモータによって実現される。
【０００５】
支持装置用のドライブユニットがＯＦＦになっている場合は、記憶媒体は停止状態になり、スイングアームはパーキング位置に移動し、衝撃に対して保護されながらその位置に配置される。これは特に、ドライブユニットが可動式の装置に配置されるときに、必要条件になる。パーキング位置では、スイングアームは、例えば、特許文献１に記載されているように、記憶媒体の周囲の外側のパーキングランプに、または特許文献２に記載されているように、記憶媒体の記録しない内側領域の上方に配置することができる。
【先行技術文献】
【特許文献】
【０００６】
【特許文献１】欧州特許出願公開第１６７２６２０号明細書
【特許文献２】米国特許第６００５７３６号明細書
【非特許文献】
【０００７】
【非特許文献１】"Micro thermal design of swing arm type small form factor optical pickup system", Technical Paper, Microsyst Technol. (2006) 12, pages 1093-1097, Springer Verlag 2006
【発明の概要】
【発明が解決しようとする課題】
【０００８】
ブルーレイディスクフォーマットで適用する青色レーザダイオードを用いる、スイングアームタイプのＳＦＦ（ｓｍａｌｌ  ｆｏｒｍ  ｆａｃｔｏｒ）光ピックアップ装置の熱の問題が扱われている（例えば、非特許文献１参照）。有限要素解析により、アルミニウム製スイングアームがレーザダイオードの温度を許容可能な限度の範囲内に維持するのに好都合であることが示されている。しかし、アルミニウム製スイングアームの重量は、プラスチックまたはカーボンファイバ製スイングアームと比べてずっと重い。
【課題を解決するための手段】
【０００９】
本発明による装置は、記憶媒体のデータを読み取りかつ／または記憶媒体にデータを記録するピックアップを有する走査装置と、走査装置用のパーキング位置を設ける保持固定具と、走査装置の移動のための駆動アクチュエータとを備え、保持固定具が、走査装置、具体的にはピックアップを冷却するヒートシンクを備える。
【００１０】
有利には、走査装置は第１の接触領域を備え、保持固定具は第２の接触領域を備え、第１の接触領域は、走査装置がパーキング位置にあるときに熱伝達を行うために第２の接触領域と接触している。
【００１１】
本発明のさらなる態様では、保持固定具は、走査装置がパーキング位置にあるときに、走査装置を押して第１の接触領域が第２の接触領域上に至るようにする接触力をもたらすクランプ手段を備える。したがって、走査装置は、有利には、クランプ手段のために接触領域を設けるリーディングエッジ（ｌｅａｄｉｎｇ  ｅｄｇｅ）を備え、クランプ手段および／またはリーディングエッジは、クランプ手段がリーディングエッジをパーキング位置に移動させるときに、走査装置のリーディングエッジを押して第１の接触領域が第２の接触領域上に至るようにするベベル状縁部（ｂｅｖｅｌｅｄ  ｅｄｇｅ）を備える。
【００１２】
本発明のさらなる態様では、走査装置はスイングアームであり、ピックアップは、記憶媒体としての光ディスクのデータを読み取りかつ／または光ディスクにデータを記録するための波長が例えば４０５ｎｍの青色レーザダイオード放射光を含む。レーザダイオード、具体的には青色レーザダイオードは効率が非常に悪く、レーザダイオードの廃熱はスイングアーム上に配置された他の光学的構成要素にとって危険なので、レーザダイオードが可動式の適用例のための小型軽量スイングアーム上に配置されているときは、レーザダイオードを効率よく冷却することが必要である。したがって、本発明では、特に可動式の装置内ですでに必要とされている走査装置用の保持固定具のパーキング位置を利用することによって、レーザダイオードを効率よく冷却することができる。
【００１３】
走査装置は、有利には間欠動作で動作することができ、その際その走査装置は所定の時間間隔で記憶媒体のデータを読み取るかまたは記憶媒体にデータを記録し、ピックアップ、したがってレーザダイオードを冷却するためにパーキング位置に周期的に移動する。
【００１４】
次に、本発明の好ましい実施形態を、概略的な図面を参照して例示によって以下により詳細に説明する。
【図面の簡単な説明】
【００１５】
【図１】光学式記憶媒体の走査のためのスイングアームを備える走査装置の概略上面図である。
【図２】図１に示すスイングアームの底面斜視図である。
【図３】図１の走査装置の断面図である。
【図４ａ】スイングアームと、回転式クランプ手段を備える保持固定具とを有する、本発明の第１の実施形態を示す図である。
【図４ｂ】スイングアームと、回転式クランプ手段を備える保持固定具とを有する、本発明の第１の実施形態を示す図である。
【図５ａ】スイングアームと、径方向に移動可能な第１のクランプ手段を備える保持固定具とを有する、本発明の第２の実施形態を示す図である。
【図５ｂ】スイングアームと、径方向に移動可能な第１のクランプ手段を備える保持固定具とを有する、本発明の第２の実施形態を示す図である。
【図６ａ】スイングアームと、径方向に移動可能な第２のクランプ手段を備える保持固定具とを有する、本発明の第３の実施形態を示す図である。
【図６ｂ】スイングアームと、径方向に移動可能な第２のクランプ手段を備える保持固定具とを有する、本発明の第３の実施形態を示す図である。
【図７】スイングアームと、ランプを備える保持固定具とを有する、本発明の第４の実施形態を示す図である。
【発明を実施するための形態】
【００１６】
図１および図２は、光ディスクを走査するためのスイングアームを有する走査装置を示し、そのスイングアームのアクチュエータが、ねじりに対して剛性があるスイングアーム１を備える。そのスイングアーム１は、２アームレバーの形状で設計されており、レバーアームＩとＩＩとの間の重心ＣＧで、スイングアーム１に対して垂直に延びるピボット軸ＰＡの周りをピボット軸受で旋回することができるように図３の支持体２に取り付けられている。レバーアームＩは、その端部に、焦点レンズを有する光ピックアップ３を支持する。２プリントコイル構成（ｔｗｏ  ｐｒｉｎｔｅｄ  ｃｏｉｌ  ａｒｒａｎｇｅｍｅｎｔ）４および５は、磁石６および７に動作可能に磁気によって連結され、もう一方のレバーアームＩＩ上に配置されている。それらの磁石６および７は、常に支持体に取り付けられ、コイル構成４および５に位置決めされている。コイル構成４および５は、これらの磁石６および７と共にスイングアーム用の磁気駆動装置を形成する。ＯＤは光ディスクを示し、その光ディスクにはピックアップ３が位置決めされている。
【００１７】
レバーアームＩＩは、好ましくは少なくとも部分的にＰＣＢ材料をベースとしており、縁部領域８を備える。その縁部領域８は、ピボット軸ＰＡに関して同軸に延び、縁部領域８から間隔をあけて配置された、同軸に設計された凹所９を備える。凹所９は、プリントコイル５、具体的には、いわゆるファインプリントパターンのコイル５によって囲繞され、そのコイル５は、レバーアームＩＩに集積された、いくつかの層、例えば６つの層を有する。磁石７に連結されたＵ字形のヨーク１０のレッグ（ｌｅｇ）は、凹所９中で係合し、その凹所９では、磁石７自体は、縁部領域８の外側に遊びＰＬを有した状態で縁部領域８を同軸に囲む。このように形成された磁気駆動装置により、スイングアーム１がピボット面に垂直にフォーカス方向ｆに移動することが可能になる。
【００１８】
第１の磁気駆動装置とピボット軸ＰＡとの間の領域では、リングの一部の形状であり常に支持体に取り付けられている磁石６は、ピボット軸ＰＡに関して同軸に配置され、レバーアームＩから間隔をあけて配置されている。磁石６に対応しそれに同軸に湾曲した設計に調節された１つまたは複数のコイル４は、磁石６に割り当てられる。これらのコイルもまた、例えばプリントコイルまたはいわゆるファインプリントパターンのコイルとして製造され、レバーアームＩＩに集積された、いくつかの層、例えば６つの層を有する。これらのコイル４および磁石６で形成された第２の磁気駆動装置は、ピボット軸ＰＡの周りでのスイングアーム１がトラッキング方向に光ディスクＯＤに関して径方向に旋回運動を開始するように働く。
【００１９】
ピックアップ３を支持するレバーアームＩは、軸受けブッシュ１１に回転不能に連結され、ピボット面に垂直なフォーカス方向ｆへのヘッド３の運動を開始するように、弾性的に屈曲可能な領域１２を備える。ピックアップ３と領域１２との間の領域では、レバーアームＩＩは、レバーアームＩに固定して連結され、レバーアームＩＩはその領域にのみ保持され、したがって、縁部領域８までの部分は、図３にも示すように屈曲可能な領域１２のピックアップ３から離れる方に向く側に自由にぶら下がる。
【００２０】
レバーアームＩの底面および上面に溝１３が組み込まれているので、領域１２はレバーアームＩの厚さと比較して非常に薄くなっており、磁石７で形成された第１の磁気駆動装置によってレバーアームＩＩがロードされると、溝１３がなければ剛性だったレバーアームＩのヘッド側部分がフォーカス方向ｆに移動するような厚さに設計されている。２つのレバーアームＩとＩＩとの固定した連結を用いて、ピボット軸ＰＡの周りでのレバーアームＩの旋回運動を開始し、したがって、スイングアーム１全体の旋回運動を開始し、ピボット軸ＰＡの周りでのレバーアームＩの旋回運動は、磁石６で形成された第２の磁気駆動装置によって起きるレバーアームＩＩの旋回運動に起因する。
【００２１】
図３は、支持体２へのスイングアーム１の配置および取付けを示す。ピボットピン１４が常に支持体２に配置され、スイングアーム１は、軸受けブッシュ１１と共に枢動することができるようにピボットピン１４に取り付けられている。ピックアップ３に位置決めされた光ディスクＯＤは、スイングアーム１に平行に配置される。ピボット軸ＰＡの周りでのスイングアーム１の旋回運動により、ピックアップ３がディスクＯＤに関して径方向、すなわちトラッキング方向に移動する。ディスクＯＤ上の特定の点にフォーカスすることは、やはり図１に示すようなトラッキング方向ｔに垂直なフォーカス方向ｆの、レバーアームＩＩ、したがってピックアップ３の運動によって実現される。
【００２２】
図４ａでは、図１〜図３に関して上記で説明したのに対応するように、第１のレバーアームＩおよび第２のレバーアームＩＩを備えたスイングアームを概略上面図で示す。レバーアームＩＩは、一端部に、トラッキング移動をもたらす第１のコイル４と、第２のコイル５とを備え、それらは、上記で説明したようにトラッキング移動およびフォーカス移動をもたらす、支持体２上に配置された磁石と共に、磁気アクチュエータを構成する。第２のレバーアームＩＩのもう一方の端部には、第１のレバーアームＩが固定され、したがって第１のレバーアームＩは第２のレバーアームＩＩに従って移動する。第１のレバーアームＩは、具体的には、光ディスクにデータを記録しかつ／または光ディスのデータを読み取る、対物レンズ２０を備える光ピックアップ３を担持する。
【００２３】
第１のレバーアームＩのうちピックアップ３を担持する部分は、屈曲可能な領域１２を介して、第１のレバーアームＩのうち軸受けブッシュ１１およびピボットピン１４を介して支持体２に連結された部分に連結されている。ピボットピン１４は、トラッキング移動のためのピボット軸ＰＡを画定し、屈曲可能な領域１２は、フォーカス移動のための第２のピボット軸を画定する。支持体２は、具体的には、金属ベースのプレートまたは部分的に金属をベースにしたプレートである。
【００２４】
支持体２上ではさらに、スイングアーム１をパーキング位置に固定する保持固定具４０が配置される。この保持固定具４０は、クランプ手段、すなわちターニングレバー４１を備え、そのクランプ手段は、ピボット軸４２上に配置される。第２のレバーアームＩＩはリーディングエッジ２１を備え、そのリーディングエッジ２１は第１のレバーアームＩの上方に延びる。スイングアーム１がトラッキング用磁気駆動装置４、６によってパーキング位置に移動すると、ターニングレバー４１は、図４ｂに示すようにスイングアーム１をヒートシンク上に押し下げるようにリーディングエッジ２１の上方に移動する。
【００２５】
図４ｂでは、スイングアーム１がパーキング位置に移動したときのスイングアーム１、保持固定具４０およびベースプレート２を側面図で示す。保持固定具４０のヒートシンクは、接触領域４４を有する「Ｚ」様のばね４３を備え、その接触領域４４上では、スイングアーム１をターニングレバー４１によって、パーキング位置においてターニングレバー４１を回転させることによって押圧することができる。ターニングレバー４１は、例えば、図示していない磁気アクチュエータによって回転させることができる。
【００２６】
第２のレバーアームＩＩは接触領域２６を備え、その接触領域２６は、レーザダイオードから接触領域２６への効率的な熱伝達を行うために、レバーアームＩ上に配置されたピックアップのレーザダイオードと熱接触している。「Ｚ」様のばね４３は、第１の接触領域２６とほぼ同じ寸法の第２の接触領域４４を備え、その第２の接触領域４４は、この実施形態では、「Ｚ」様のばね４３によって支持体２に連結されている。第１の接触領域２６および第２の接触領域４４は、例えば銅板で提供される。
【００２７】
「Ｚ」様のばね４３は、スイングアーム１がパーキング位置に移動すると、第２の接触領域４４が第１の接触領域２６に向き、ターニングレバー４１がパーキング位置でスイングアーム１を押し下げると、第１の接触領域２６が第２の接触領域４４まで下に移動し、「Ｚ」様のばね４３に荷重をかけるように、支持体２上に配置される。このばね４３は、第１の接触領域２６から第２の接触領域４４に、次いでばね４３を介して支持体２に効率的な熱伝達を行うために、反力をもたらす。したがって、スイングアーム１のパーキング位置は、スイングアーム１がターニングレバー４１によって固定されるときは、ピックアップのための冷却位置と同時に使用される。
【００２８】
ターニングレバー４１は、スイングアーム１をパーキング位置に固定するときにターニングレバー４１がリーディングエッジ２１上を滑らかに移動するように、リーディングエッジ２１と接触する端部に、具体的にはベベル状縁部２７を備える。「Ｚ」様のばね４３は、スイングアーム１がターニングレバー４１によってパーキング位置に押し下げられると、第１の接触領域２６が良好な熱伝達のために第２の接触領域４４と全体的に接触するように、第２の接触領域４４の弾性的な動きをもたらすために可撓性の端部を有する弾性金属から構成される。第１の接触領域２６および第２の接触領域４４は、具体的には、金属製の熱伝導率の高いプレートである。
【００２９】
図５ａ、図５ｂでは、図４ａ、図４ｂに関して上記で説明したように支持体２に配置されたスイングアーム１を備える本発明の第２の実施形態を示す。この実施形態の保持固定具５０は、可動式クランプ５２を備え、この可動式クランプ５２は、スレッジ（ｓｌｅｄｇｅ）５１を介して支持体２上に配置される。スレッジ５１は、ピボットピン１４によって画定されるピボット軸ＰＡの方向にクランプ５２を移動させる。スレッジ５１の移動は、例えば、図示しない磁気アクチュエータによってもたらすことができる。
【００３０】
クランプ５２がスレッジ５１によってピボットピン１４の方向に移動すると、クランプ５２は、スイングアーム１のリーディングエッジ２１と係合し、スイングアーム１をパーキング位置に固定するために、第２のレバーアームＩＩを押して、図５ｂに示す接触領域２６が「Ｚ」様のばね５５の上に至る。「Ｚ」様のばね５５は第２の接触領域５７を備え、この第２の接触領域５７は、スイングアーム１のピックアップから支持体２に効率的な熱伝達を行うように接触領域２６に向く。
【００３１】
この実施形態では、クランプ５２の幅は、スイングアーム１の接線方向では、全てのトラッキング位置に対応するスイングアーム１用のパーキング位置をもたらすために、スイングアーム１の全てのトラッキング位置をカバーすることができるように延びる。ばね５５の接触領域５７は、スイングアーム１の全てのトラッキング位置をカバーするように、トラッキング方向にも対応するように延びる。したがって、スイングアーム１は、特別のパーキング位置に移動しないようにしなければならないが、スイングアーム１を固定しピックアップと支持体２との間の熱伝達を行うために、全てのトラッキング位置をパーキング位置のために使用することができ、スイングアーム１がトラッキング移動しないことが必要になる。
【００３２】
光ディスクとクランプ５２との間の接触を避けるためには、支持体２に対するクランプ５２の高さは、支持体２に対する第２のレバーアームＩＩの高さと同様になり、スイングアーム１をパーキング位置に固定するためにクランプ５２がリーディングエッジ２１の方向に移動するときに光ディスクに接触しないために、特にスイングアーム１の動作中に対物レンズ２０を越えて延びない。したがって、図５ａ、図５ｂに示す実施形態では、光ディスクのデータを読み取りかつ／または光ディスクにデータを記録するときに、ピックアップの冷却のためにエネルギー消費が小さくなる特に急速な冷却サイクルが可能になる。
【００３３】
図５ｂでは、拡大側面図に、スレッジ５１の一部をクランプ５２と共に示す。ばね５５ならびにレバーアームＩＩおよびレバーアームＩの端部はピボット軸ＰＡから離れる方に向いている。クランプ５２がスレッジ５１によってピボットピン１４の方向に移動すると、スイングアーム１の接触領域２６は、クランプ５２がリーディングエッジ２１上をスライドするときに、支持体２の方向にクランプ５２によって押される。クランプ５２は、ベベル状縁部５３を有し、さらに、クランプ５２がリーディングエッジ２１上を滑らかにスライドするようにリーディングエッジ２１も有することができる。保持固定具５０は、さらに保持プレートＨＰを備えることができ、保持プレートＨＰ上では、レバーアームＩＩの端部が、固定してパーキングするようにパーキング位置に配置される。
【００３４】
「Ｚ」様のばね５５は、この実施形態では、接触領域５７を示す上側プレート５７からなり、下側プレート５８は、支持体２および中間プレート５９に固定され、その中間プレート５９は、図５ａに示すように一方の端部５６で上側プレート５７に、もう一方の端部５４で下側プレート５８に取り付けられている。しかし、それに合うように他のばね構成を用いることができる。具体的には、プレート５７および５６に連結されている、プレート５９の端部５４、５６は、ベースプレート２６と支持体２との間の効率的な熱伝達を可能にするために、接触領域２６と５７との間で完全に接触するように屈曲可能な領域である。ばね２５の材料として、例えばばね青銅を用いることができる。
【００３５】
図５ａ、図５ｂに示す第２の実施形態と同様の保持固定具６０を備える第３の実施形態を図６ａ、図６ｂに示す。この実施形態のスイングアーム１は、上記で説明した実施形態と同様に設計されるが、ここでは、接触領域２６、すなわちスイングアーム１の金属プレートは、レバーアームＩＩのリーディングエッジ２１を越えて延びる。保持固定具６０はスレッジ６３を備え、そのスレッジ６３は、スイングアーム１が固定されるパーキング位置を設けるために、コンタクトスライダ６１を接触領域２６の上方に移動させる。次いで、スイングアーム１の接触領域２６は、スイングアーム１のピックアップを冷却する冷却パッド６４上に配置される。
【００３６】
図６ｂに、保持固定具６０およびスイングアーム１の正面の端部をより詳細に側面図で示す。コンタクトスライダ６１は、接触領域２６を冷却パッド６４上に押し下げるために、接触領域２６のリーディングエッジ２７の上方を滑らかな動きでスライドするように、具体的にはリーディングエッジ６５を備える。冷却パッド６４は、具体的には、効率的な熱伝達を行うための、接触領域２６に向いた接触領域を備える。この冷却パッド６４上で、接触領域２６がパーキング位置に配置される。したがって、保持固定具６０により、この実施形態でも、熱をスイングアーム１のピックアップから支持体２に効率的に放散させることができる固定パーキング位置が設けられる。
【００３７】
冷却パッド６４およびコンタクトスライダ６１は特に、幅がスイングアーム１の全てのトラッキング位置をカバーするようになっており、そのため図４ａ、図４ｂに示す実施形態では必要とされるような、スイングアーム１のパーキング位置に配置するトラッキング移動を必要とせずに、スイングアーム１を全ての動作状況の下で、すなわちそれぞれのトラッキング位置で、パーキング位置に固定することができる。冷却パッド６４は、第１および第２の実施形態に関して上記で説明したような「Ｚ」様のばねの代替物とみなすことができる。
【００３８】
図７に、支持体２に取り付けられたスイングアーム１を備える、本発明のさらなる実施形態を示す。その支持体２は、接触領域を有する金属プレート７１を備え、その金属プレート７１は、第２のレバーアームＩＩのリーディングエッジ２１を越えて延びる。図６ａ、図６ｂに示す実施形態とは逆に、金属プレート７１はさらに、ピボットピン１４から離れる方に向いた接触ピン７１の側にガイドピン７２を備える。
【００３９】
この実施形態の保持固定具７０は、クランプ手段を含まないが、上昇ランプ部分（ｕｐ−ｒａｍｐｉｎｇ  ｐａｒｔ）７４および下降ランプ部分（ｄｏｗｎ−ｒａｍｐｉｎｇ  ｐａｒｔ）７５を有するランプ７３を含み、そのランプ７３は、スイングアーム１がパーキング位置に移動するときに、ガイドピン７２がランプ７３を越えて下降ランプ部分７５に移動するように支持体２上に配置される。パーキング位置では、金属プレート７１が、接触領域で冷却パッド７６の接触領域上に載る。接触プレート７１および冷却パッド７６は、効率的な熱伝達を行うために、寸法が同様であり互いに向き合った接触領域を有する。
【００４０】
スイングアームをパーキング位置に移動させるには、トラッキングコイル４によって開始される動きが必要である。パーキング位置は、具体的にはスイングアーム１の動作範囲の外側に位置し、その結果、光ディスクに触れることなしに、したがって対物レンズ２０ならびに光ディスクを破損する可能性なしに、レバーアームＩをランプ７３によってフォーカス方向に移動させることができる。
【００４１】
スイングアーム１はレバーアームＩで光ディスクの方向に移動するので、屈曲可能な領域１２により反力をもたらし、その反力が、接触プレート７１をコンタクトパッド７６に押し、そのため上記で示した実施形態では必要とされるクランプ手段が必要ない。あるいは、上記ですでに説明したように、コンタクトパッド７６の代わりに「Ｚ」様のばねを用いることができる。
【００４２】
したがって、上記で説明した実施形態では、スイングアーム、したがってピックアップの効率的な冷却がパーキング位置で行われる。具体的には、第１および第２の接触領域が十分に大きいときは、それに応じて急速な冷却時間をスイングアームの周期的な動作のためにもたらすことができる。スイングアームにはヒートシンクは必要とされず、軽量プラスチック製スイングアーム、例えばカーボンファイバ製スイングアームを走査装置として用いることができる。スイングアーム内では、光ピックアップのレーザダイオードと第１の接触領域との間で効率的な熱伝達のみが必要とされ、こうした効率的な熱伝達は、レーザダイオードと第１の接触領域との間に、例えば銅製の連結部品を用いることによって実現することができる。
【００４３】
したがって、例えばレーザダイオードスイッチがＯＮの時間が３３％である、３０秒のサイクル時間を用いることによって、走査装置の周期的な動作に加えてパーキング位置を用いることができる。これにより、レーザダイオードのＯＦＦの時間が２０秒になり、その間にピックアップがパーキング位置で、１０秒のスイッチがＯＮの時間になるまで冷却される。具体的には、超解像近接場に影響を及ぼすのに十分なパワーを有する青色レーザダイオードを使用して、超解像近接場構造（Ｓｕｐｅｒ−ＲＥＮＳ）ディスクまたは他の新規の光学式記憶媒体のデータ率が高いデータの読取りまたは書込みに、周期的な動作を用いることができる。
【００４４】
本発明により、走査装置、例えばスイングアームの信頼性の高い動作のために、ピックアップの光学的構成要素を安全な温度範囲内に維持することが可能になる。支持体、具体的には、比較的高質量で熱容量および熱放射がそれぞれ大きいか、または走査装置の熱を装置のハウジングに伝達することができる、金属製のベースプレートまたは部分的に金属製のベースプレートが用いられるので、ヒートシンクも他の冷却要素も必要ない。
【００４５】
本発明の装置を、具体的には例えばビデオプレイヤ、オーディオプレイヤまたはゲーム機などの可動式の用途で使用することができる。しかし、本発明の精神および範囲から逸脱することなしに、本発明の他の実施形態も当業者によって実施することができる。本発明は、具体的にはスイングアーム構成に限定されるものではないが、他の走査装置を備える装置のために使用することもできる。したがって、本発明は下記に添付される本明細書の特許請求の範囲に帰する。
【図１】
2010518545.tif 000003
【図２】
2010518545.tif 000004
【図３】
2010518545.tif 000005
【図４ａ】
2010518545.tif 000006
【図４ｂ】
2010518545.tif 000007
【図５ａ】
2010518545.tif 000008
【図５ｂ】
2010518545.tif 000009
【図６ａ】
2010518545.tif 000010
【図６ｂ】
2010518545.tif 000011
【図７】
2010518545.tif 000012
【国際調査報告】
2010518545.tif 000013
2010518545.tif 000014
2010518545.tif 000015